(57)【要約】【課題】磁石と磁気センサとの任意の位置関係によって、表示画像を制御することができる表示装置を提供する。【解決手段】表示装置１００は、筺体１０１と、筺体１０１外の指示部２００と、筺体１０１内の処理部３００と、を備える。指示部２００は、磁束を発生させる第１磁石２１１、第２磁石２１２および設定磁石２２０を有する。第１磁石２１１、第２磁石２１２および設定磁石２２０のそれぞれは、筺体１０１に任意に配置可能である。処理部３００は、画像を表示する表示部３４０と、筺体１０１に配置された磁石から発生する磁束を検出した場合に検出信号を出力する第１磁石検出部３１１、第２磁石検出部３１２および設定磁石検出部３２０と、これらの検出部から出力される検出信号の組合せに基づいて、表示部３４０に表示される画像を制御する制御部３３０と、を有する。【選択図】図１
2011123732.tif 000002
【特許請求の範囲】
【請求項１】
筺体と前記筺体内の処理手段と前記筺体外の指示手段とを含む表示装置であって、
前記指示手段は、磁束を発生させる複数の発生手段を有し、
前記複数の発生手段のそれぞれは、前記筺体の任意の場所に配置可能であり、
前記処理手段は、
画像を表示する表示手段と、
前記筺体に配置された発生手段から発生する磁束を検出した場合に検出信号を出力する複数の検出手段と、
前記複数の検出手段から出力される検出信号の組合せに基づいて、前記表示手段に表示される画像を制御する制御手段と、を有する、表示装置。
【請求項２】
請求項１に記載の表示装置において、
前記制御手段は、前記複数の検出手段のうちの特定検出手段から検出信号が出力されたときに、前記特定検出手段以外の検出手段から出力された検出信号の組合せに基づいて、前記表示手段に表示される画像を制御する、表示装置。
【請求項３】
請求項１または２に記載の表示装置において、
前記制御手段は、
前記複数の検出手段から出力される検出信号の組合せと、前記表示手段に表示される画像を制御するための制御情報と、を互いに関連付けて保持する保持手段と、
前記保持手段を参照し、前記複数の検出手段から出力された検出信号の組合せに関連付けられた制御情報に基づいて、前記表示手段に表示される画像を制御する表示制御手段と、を有する、表示装置。
【発明の詳細な説明】
【技術分野】
【０００１】
本発明は、表示装置に関する。
【背景技術】
【０００２】
屋外の風雨に晒される場所に設置される液晶ディスプレイ等の映像表示装置では、外部からの影響を避けるため、例えば、装置内部の電子回路への水の流入を防ぐため、筺体で装置を密閉する防水構造が採用されている。
【０００３】
また、防水構造を維持した状態で、外部からの操作を可能にするためには、防水構造のスイッチなどを設けることが考えられる。
【０００４】
この場合、防水構造のスイッチ自体が、一般のスイッチと比較して、構造に制約を有するため、筺体の形状などに制約を受ける。このため、筺体の美観、防水性を損なうことがある。
【０００５】
これに対し、筺体内部に映像表示装置に加えて磁気センサを設け、その筺体外部に設けた磁石を用いて、筺体内部の電子回路に信号を供給することが考えられる。
【０００６】
例えば、特許文献１には、磁気センサの検出状態に応じて液晶面の画面を切り替える携帯情報端末機が記載されている。特許文献１に記載の携帯情報端末機は、操作キーが配置された第１の筺体と、液晶面が配置された第２の筺体と、が２軸ヒンジにより結合されている。
【０００７】
特許文献１に記載の携帯情報端末機は、第１筺体の内部に設置された磁石と、第２筺体の内部に設置された磁気センサとを用いて、第１筺体と第２筺体との相対位置を検出することによって、第２の筺体の液晶面に表示される画面の切替えを行う。
【先行技術文献】
【特許文献】
【０００８】
【特許文献１】特開２００６−３８７７７号公報（図２）
【発明の概要】
【発明が解決しようとする課題】
【０００９】
特許文献１に記載の携帯情報端末では、第１の筺体および第２の筺体が２軸ヒンジにより結合されているため、第１の筺体および第２の筺体の間で採り得る位置関係は限定される。このため、第１の筺体内の磁石と、第２の筺体内の磁気センサと、の位置関係は、限定される。
【００１０】
よって、その限定された位置関係とは異なる磁石と磁気センサとの位置関係を用いて、表示画面を制御することができなかったという問題があった。
【００１１】
本発明の目的は、上記した課題を解決する表示装置を提供することにある。
【課題を解決するための手段】
【００１２】
本発明の表示装置は、筺体と前記筺体内の処理手段と前記筺体外の指示手段とを含む表示装置であって、前記指示手段は、磁束を発生させる複数の発生手段を有し、前記複数の発生手段のそれぞれは、前記筺体の任意の場所に配置可能であり、前記処理手段は、画像を表示する表示手段と、前記筺体に配置された発生手段から発生する磁束を検出した場合に検出信号を出力する複数の検出手段と、前記複数の検出手段から出力される検出信号の組合せに基づいて、前記表示手段に表示される画像を制御する制御手段と、を有する。
【発明の効果】
【００１３】
本発明によれば、磁石と磁気センサとの任意の位置関係によって、表示画像を制御することが可能になる。
【図面の簡単な説明】
【００１４】
【図１】本発明の一実施形態における表示装置の構成例を示すブロック図である。
【図２】第１磁石検出部３１１、第２磁石検出部３１２および設定磁石検出部３２０の検出状態と、表示部３４０により表示される画像の輝度レベルと、の関係を示す図である。
【図３】第１磁石検出部３１１、第２磁石検出部３１２および設定磁石検出部３２０の検出状態と、表示部３４０により表示される表示番号と、の関係を示す図である。
【発明を実施するための形態】
【００１５】
以下、本発明の一実施形態について図面を参照して説明する。
【００１６】
図１は、本発明の実施形態における表示装置の一構成例を示すブロック図である。
【００１７】
表示装置１００は、屋外または浴室などに設置される表示装置である。表示装置１００は、筺体１０１と、筺体１０１外部に存在する指示部２００と、筺体１０１内に格納された処理部３００と、を備える。
【００１８】
指示部２００は、第１および第２磁石２１１および２１２と、設定磁石２２０と、を備える。処理部３００は、第１および第２磁石検出部３１１および３１２と、設定磁石検出部３２０と、制御部３３０と、表示部３４０と、を備える。制御部３３０は、制御情報保持部３３１および表示制御部３３２を備える。
【００１９】
指示部２００は、表示装置１００の使用者の操作に基づいて、表示部３４０に表示される表示画像を制御するための指示手段である。指示部２００は、表示画像を制御する複数の制御パターンのうち、１つの制御パターンを処理部３００に指示する。
【００２０】
第１磁石２１１、第２磁石２１２および設定磁石２２０の各々は、磁束を発生させる発生手段である。また、第１磁石２１１、第２磁石２１２および設定磁石２２０の各々は、筺体１０１の任意の場所に配置可能である。
【００２１】
第１磁石２１１および第２磁石２１２は、表示装置１００の使用者が、複数の制御パターンのうちから１つの制御パターンを選択するために使用される磁石である。使用者は、第１磁石２１１および第２磁石２１２の配置を操作することにより、表示画像の制御を選択することができる。
【００２２】
設定磁石２２０は、第１磁石２１１および第２磁石２１２の配置により定まる制御パターンを設定するために使用される磁石である。設定磁石２２０は、第１磁石２１１および第２磁石２１２の配置により定まる制御パターンの実行を処理部３００に指示する。
【００２３】
処理部３００は、指示部２００からの指示に従って処理を行う処理手段である。処理部３００は、例えば、防水構造の筺体１０１にて密閉されている。
【００２４】
第１磁石検出部３１１、第２磁石検出部３１２および設定磁石検出部３２０の各々は、磁束を検出する検出手段である。第１磁石検出部３１１、第２磁石検出部３１２および設定磁石検出部３２０は、例えば、磁気センサであり、ホール素子により実現される。
【００２５】
第１磁石検出部３１１、第２磁石検出部３１２および設定磁石検出部３２０の各々は、筺体１０１に配置された磁石（第１磁石２１１、第２磁石２１２または設定磁石２２０）から発生する磁束を検出した場合には、検出信号を出力する。本実施形態では、第１磁石検出部３１１、第２磁石検出部３１２および設定磁石検出部３２０の各々は、自己の近傍に配置された磁石から発生する磁束を検出して、検出信号を出力する。
【００２６】
第１磁石検出部３１１は、第１磁石２１１、第２磁石２１２および設定磁石２２０のうちいずれかの磁石が、第１磁石検出部３１１の近傍に位置するときに、その磁石から発生する磁束を検出して、検出信号を出力する。
【００２７】
本実施形態では、第１磁石検出部３１１は、第１磁石検出部３１１に対応する第１磁石２１１が、第１磁石検出部３１１の近傍に位置するときに、第１磁石２１１から発生する磁束を検出して、検出信号を表示制御部３３２に出力する。
【００２８】
第２磁石検出部３１２は、第１磁石２１１、第２磁石２１２および設定磁石２２０のうちいずれかの磁石が、第２磁石検出部３１２の近傍に位置するときに、その磁石から発生する磁束を検出して、検出信号を出力する。
【００２９】
本実施形態では、第２磁石検出部３１２は、第２磁石検出部３１２に対応する第２磁石２１２が、第２磁石検出部３１２の近傍に位置するときに、第２磁石２１２から発生する磁束を検出して、検出信号を表示制御部３３２に出力する。
【００３０】
設定磁石検出部３２０は、第１磁石２１１、第２磁石２１２および設定磁石２２０のうちいずれかの磁石が、設定磁石検出部３２０の近傍に位置するときに、その磁石から発生する磁束を検出して、検出信号を出力する。設定磁石検出部３２０は、一般的に特定検出手段と呼ぶことができる。
【００３１】
本実施形態では、設定磁石検出部３２０は、設定磁石検出部３２０に対応する設定磁石２２０が、設定磁石検出部３２０の近傍に位置するときに、設定磁石２２０から発生する磁束を検出して、検出信号を表示制御部３３２に出力する。
【００３２】
制御部３３０は、第１磁石検出部３１１、第２磁石検出部３１２および設定磁石検出部３２０から出力される検出信号の組合せに基づいて、表示部３４０に表示される表示画像を制御する制御手段である。
【００３３】
本実施形態では、制御部３３０は、設定磁石検出部３２０から検出信号が出力されたときに、第１磁石検出部３１１および第２磁石検出部３１２から出力される検出信号の組合せに基づいて、表示部３４０に表示される画像を制御する。
【００３４】
制御情報保持部３３１は、第１磁石検出部３１１、第２磁石検出部３１２および設定磁石検出部３２０から出力される検出信号の組合せと、表示部３４０に表示される画像を制御するための制御情報と、を互いに関連付けて保持する保持手段である。制御情報保持部３３１には、第１磁石検出部３１１、第２磁石検出部３１２および設定磁石検出部３２０の検出状態の組合せごとに、その組合せに対応する表示画像の制御論理情報が予め設定される。
【００３５】
本実施形態では、制御情報保持部３３１は、第１磁石検出部３１１および第２磁石検出部３１２から出力される検出信号の組合せごとに関連付けられた制御情報（制御論理情報）を保持する。制御情報保持部３３１は、例えば、表示画像の輝度レベル、または、表示文字に関する制御情報を保持する。制御情報保持部３３１は、例えば、ＲＯＭ（Read Only Memory）により実現される。
【００３６】
表示制御部３３２は、制御情報保持部３３１を参照し、第１磁石検出部３１１、第２磁石検出部３１２および設定磁石検出部３２０から出力された検出信号の組合せに関連付けられた制御情報に基づいて、表示部３４０に表示される画像を制御する表示制御手段である。表示制御部３３２は、例えば、ＣＰＵ（Central Processing Unit）により実現される。
【００３７】
本実施形態では、表示制御部３３２は、設定磁石検出部３２０から検出信号が出力されたときに、制御情報保持部３３１を参照し、第１磁石検出部３１１および第２磁石検出部３１２から出力された検出信号の組合せに関連付けられた制御情報に基づいて、表示画像を制御する。
【００３８】
表示制御部３３２は、例えば、設定磁石検出部３２０から検出信号が出力されたときに、制御情報保持部３３１を参照し、第１磁石検出部３１１および第２磁石検出部３１２からの検出信号の組合せに関付けられた輝度レベルで、表示部３４０に画像を表示させる。
【００３９】
表示部３４０は、画像を表示する表示手段である。表示部３４０は、表示制御部３３２の制御に従って画像を表示する。表示部３４０は、例えば、液晶ディスプレイ等の映像表示装置により実現される。
【００４０】
図２は、第１磁石検出部３１１、第２磁石検出部３１２および設定磁石検出部３２０の検出状態と、表示部３４０の表示状態と、の関係例を示す図である。図２には、第１磁石検出部３１１、第２磁石検出部３１２および設定磁石検出部３２０から出力された検出信号の組合せと、その組合せに対応する表示状態が示されている。
【００４１】
検出状態５２１から５２３には、第１磁石検出部３１１、第２磁石検出部３１２および設定磁石検出部３２０の検出状態が、「検出」、「未検出」としてそれぞれ示されている。検出は、磁束が検出されたことにより、検出信号が制御部３３０に出力されている状態を示す。未検出は、磁束が検出されていない状態を示す。
【００４２】
表示動作５２４には、表示部３４０の表示状態として、輝度レベルが示されている。表示動作５２４には、４つの制御情報（制御パターン）として、表示停止、最低輝度での表示、中間輝度での表示および最大輝度での表示が示されている。
【００４３】
この例では、設定磁石検出部３２０の検出状態が「検出」を示す場合に、第１磁石検出部３１１および第２磁石検出部３１２の検出状態の組合せに基づいて、表示部３４０の表示状態が切り替わる。例えば、設定磁石検出部３２０の検出状態が「検出」を示し、第１磁石検出部３１１および第２磁石検出部３１２の両者の検出状態が「未検出」を示す場合には、表示制御部３３２の制御によって、画像表示が停止される。
【００４４】
一方、設定磁石検出部３２０の検出状態が「未検出」を示す場合には、表示状態が切り替わらないため、直前の表示状態が維持される。
【００４５】
図３は、第１磁石検出部３１１、第２磁石検出部３１２および設定磁石検出部３２０の検出状態と、表示部３４０の表示状態と、の他の関係例を示す図である。
【００４６】
表示動作５３４には、表示部３４０の表示状態として、表示番号が示されている。表示動作５３４には、４つの制御情報として、「０」、「１」、「２」および「３」の表示番号が示されている。なお、検出状態５２１から５２３は、図２に示した内容と同様のものであるため、ここでの説明を省略する。
【００４７】
例えば、設定磁石検出部３２０の検出状態が「検出」を示し、第１磁石検出部３１１および第２磁石検出部３１２の両者の検出状態が「未検出」を示す場合には、表示制御部３３２の制御によって、表示番号「０」が表示される。
【００４８】
なお、図２および図３には、表示画像の制御として、輝度レベルおよび表示番号を切り替える例について説明したが、表示画像の色合い、表示画像の上下方向への移動量などを制御するようにしてもよい。
【００４９】
本実施形態によれば、指示部２００が、筺体１０１の外部に存在し、また、指示部２００が、任意に配置可能な第１磁石２１１、第２磁石２１２および設定磁石２２０を有する。このため、表示装置１００の使用者が、第１磁石２１１、第２磁石２１２および設定磁石２２０の各々の位置を、独立して自由に操作することができる。
【００５０】
また、本実施形態では、第１磁石検出部３１１、第２磁石検出部３１２および設定磁石検出部３２０の各々が、筺体１０１内に格納され、また、第１磁石２１１、第２磁石２１２および設定磁石２２０から発生する磁束を検出した場合には、検出信号を出力する。さらに制御部３３０が、第１磁石検出部３１１、第２磁石検出部３１２および設定磁石検出部３２０から出力された検出信号の組合せに基づいて、表示部３４０に表示された表示画像を制御する。
【００５１】
このため、制御部３３０は、筺体１０１に設置された第１磁石２１１、第２磁石２１２および設定磁石２２０の配置に基づいて、さらに言えば、磁石と磁石検出部（磁気センサ）との任意の位置関係によって、表示画像を制御することができる。
【００５２】
よって、表示装置１００は、その使用者が筺体１０１外の磁石を自由に操作することによって、表示画像を制御することができる。したがって、表示装置１００の使用者は、筺体１０１の防水性能を損なうことなく、防水構造の筺体１０１の外部から簡便な手法により、筺体１０１内の表示部３４０に表示される画像を制御することがきる。
【００５３】
また、表示装置１００は、第１磁石２１１、第２磁石２１２および設定磁石２２０の配置の自由度が十分に高いため、表示画像の制御パターンの数に制限を受けることなく、表示画像を制御することができる。
【００５４】
また、本実施形態では、制御部３３０が、設定磁石検出部３２０から検出信号が出力されたときに限り、第１および第２磁石検出部３１１および３１２から出力される検出信号の組合せに基づいて、表示部３４０に表示される表示画像を制御する。
【００５５】
これにより、制御部３３０は、設定磁石検出部３２０から検出信号が出力されない場合には、第１磁石２１１および第２磁石２１２から出力された出力信号の組合せに拘わらず、表示画像の制御を抑制する。このため、表示装置１００の使用者は、常に、第１磁石２１１および第２磁石２１２を、第１磁石検出部３１１および第２磁石検出部３１２の近傍に配置し続けるような操作を行う必要が無くなる。
【００５６】
したがって、表示装置１００の使用者は、設定磁石２２０を設定磁石検出部３２０の近傍に配置して表示画像を制御した後は、第１磁石２１１、第２磁石２１２および設定磁石２２０を、別の場所に保管することができる。このため、表示装置１００の使用者は、第１磁石２１１、第２磁石２１２および設定磁石２２０の紛失などを防止することがきる。
【００５７】
また、本実施形態では、制御情報保持部３３１が、第１磁石検出部３１１、第２磁石検出部３１２および設定磁石検出部３２０から出力される検出信号の組合と、表示部３４０に表示される画像を制御するための制御情報と、を互いに関連付けて保持する。さらに表示制御部３３２が、制御情報保持部３３１を参照し、第１磁石検出部３１１、第２磁石検出部３１２および設定磁石検出部３２０から出力された検出信号の組合せに関連付けられた制御情報に基づいて、表示部３４０に表示される画像を制御する。
【００５８】
これにより、制御情報保持部３３１に、表示画像の制御に関する制御情報を設定することができる。したがって、表示装置１００の使用者は、制御情報保持部３３１に設定された制御情報に応じて、表示部３４０に表示される画像を制御することができる。
【００５９】
また、本実施形態では、指示部２００が、風雨による影響を受け難い磁石を有することによって、表示装置１００が風雨に晒されても、その影響を受けることなく、表示画像を制御することができる。
【００６０】
また、本実施形態では、第１磁石検出部３１１、第２磁石検出部３１２および設定磁石検出部３２０と、第１磁石２１１、第２磁石２１２および設定磁石２２０と、が１対１で対応する。したがって、使用者が磁石の配置を変更する際に、磁石検出部が、他の磁石の磁束を検出して使用者の意図しない表示画像に切り替わってしまうような誤操作を防止することができる。
【００６１】
なお、本実施形態では、磁石および磁石検出部の数をさらに増加させることによって、表示部３４０に表示される画像の制御パターンを増加させるようにしてもよい。また、本実施形態では、表示部３４０に表示される画像の制御パターンの定義を２つにする場合には、第１磁気検出部３１１のみを処理部３００に設けるようにしてもよい。
【００６２】
なお、本実施形態において、表示装置として、屋外設置型電子掲示板や防水型ディスプレイなどが用いられてもよい。
【００６３】
以上説明した実施形態において、図示した構成は単なる一例であって、本発明はその構成に限定されるものではない。
【符号の説明】
【００６４】
１００  表示装置
１０１  筺体
２００  指示部
２１１  第１磁石
２１２  第２磁石
２２０  設定磁石
３００  処理部
３１１  第１磁石検出部
３１２  第２磁石検出部
３２０  設定磁石検出部
３３０  制御部
３３１  制御情報保持部
３３２  表示制御部
３４０  表示部
【図１】
2011123732.tif 000003
【図２】
2011123732.tif 000004
【図３】
2011123732.tif 000005